【手続補正書】
【提出日】平成18年4月14日(2006.4.14)
【手続補正１】
【補正対象書類名】明細書
【補正対象項目名】特許請求の範囲
【補正方法】変更
【補正の内容】
【特許請求の範囲】
【請求項１】  通信を少なくとも１つの中央局（１，２，３）と少なくとも１つの端末機器（５）との間で遠隔通信網（１０）を介して伝送する方法であって、
通信交換を適合装置（１５）によって少なくとも１つの中央局（１，２，３）と端末機器（５）との間で、端末機器（５）の少なくとも１つの設定に依存して制御する形式の方法において、
端末機器（５）に対して通信が到来する場合、該適合装置（１５）に該少なくとも１つの中央局（１，２，３）から通知し、
該適合装置（１５）によって、該端末機器（５）が到達可能であるか否かを検査し、
到達可能である場合、該端末機器（５）への通信の転送プロセスを、該端末機器（５）によって設定された伝送モードにしたがって開始し、
伝送モードとして、プッシュモードまたはプルモードを該端末機器（５）によって設定する
ことを特徴とする方法。
【請求項２】  適合装置（１５）によって通信の伝送に対する少なくとも１つの特性を、前記少なくとも１つの端末機器（５）の設定に適合する、請求項１記載の方法。
【請求項３】  種々異なる中央局（１，２，３）からの通信は適合装置（１５）によって、端末機器（５）により読み取り可能な統一的フォームに変換され、端末機器（５）に伝送される、請求項１または２記載の方法。
【請求項４】  端末機器（５）の設定に応じて、端末機器（５）に対して少なくとも１つの中央局（１，２，３）に存在する通信を、端末機器（５）へ到達可能な場合、適合装置（１５）から端末機器（５）に伝送するか、または当該通信が使用可能であることを端末機器（５）に適合装置（１５）から通知する、請求項１から３までのいずれか１項記載の方法。
【請求項５】  適合装置（１５）により、複数の通信を統合して、端末機器（５）に伝送する、請求項１から４までのいずれか１項記載の方法。
【請求項６】  適合装置（１５）により、端末機器（５）の設定に応じて、複数のエレメントからなる通信の個々の部分をセグメント化し、処理する、請求項１から５までのいずれか１項記載の方法。
【請求項７】  端末機器（５）の少なくとも１つの設定は、データセットの形態で端末機器（５）のユーザにより設定され、適合装置（１５）に伝送される、請求項１から６までのいずれか１項記載の方法。
【請求項８】  複数の種々異なるデータセットが端末機器（５）のユーザにより、端末機器（５）により実現可能な種々異なる機能に対して設定され、
適合装置（１５）に配属された記憶装置に格納される、請求項１から７までのいずれか１項記載の方法。
【請求項９】  種々異なるデータセットにはそれぞれ１つの識別子が配属される、請求項８記載の方法。
【請求項１０】  端末機器（５）のユーザによりデータセットを選択し、
端末機器（５）から、選択されたデータセットを表す識別子を適合装置（１５）に伝送し、
適合装置（１５）にて、受信された識別子を有するデータセットが記憶装置に格納されているか否かを検査し、
受信すべき識別子に所属するデータセットが記憶装置（２５）に存在する場合、当該データセットを選択する、請求項９記載の方法。
【請求項１１】  データセットに、記憶装置（２５）におけるその格納順序で通し番号を付し、
データセットのそれぞれの識別子を当該通し番号から形成する、請求項９または１０記載の方法。
【請求項１２】  端末機器（５）および適合装置（１５）でプロトコルを使用し、
該プロトコルは通信の伝送のために設定された伝送モードに対する機能エレメントを含んでおり、
端末機器（５）に対して到来した通信の適切なシグナリングを端末機器（５）で行わせる、請求項１から１１までのいずれか１項記載の方法。
【請求項１３】  到達不可能である場合、端末機器（５）が到達可能であることが適合装置（１５）によって識別されるまで、通信を記憶する、請求項１から１２までのいずれか１項記載の方法。
【請求項１４】  請求項１から１３までのいずれか１項記載の方法を実施するための適合装置において、
中央局（１，２，３）への少なくとも１つのインタフェース（１１，１２，１３）と端末機器（５）へのインタフェース（２０）とが設けられており、
記憶装置（２５）が設けられており、
該記憶装置は、少なくとも１つの中央局（１，２，３）と端末機器（５）との間の通信交換を制御するために端末機器（５）の少なくとも１つの設定を記憶し、
制御部（３０）が設けられており、
該制御部は通信交換を、前記少なくとも１つの設定に依存して制御する形式の適合装置において、
少なくとも１つの中央局（１，２，３）から、端末機器（５）に対して到来する通信に関する通信を受信し、
該端末機器（５）が到達可能であるか否かを検査し、
到達可能である場合、該端末機器（５）への通信の転送プロセスを、該端末機器（５）によって設定された伝送モードで開始するように構成されており、
伝送モードとして、プッシュモードまたはプルモードが端末機器（５）によって設定される
ことを特徴とする適合装置。
【手続補正２】
【補正対象書類名】明細書
【補正対象項目名】０００３
【補正方法】変更
【補正の内容】
【０００３】
いわゆるインターネットＥメールサービスでは、通信がいわゆるメールクライアントにより形成され、ＩＥＴＦ（Internet Engineering Task Force）のＲＦＣ８２１（Request for Command）によるいわゆるＳＭＰＴ（Simple Mail Transfer Protocol）により、またはＩＥＴＦのＲＧＣ１８６９によるＥＳＭＴＰ（Enhanced Simple Mail Transfer Protocol）によりインターネットを介して受信者のメールサーバに通知される。メールサーバから受信者は同様にメールクライアントを用いて、送信された通信にアクセスすることができる。送信された通信にアクセスするために相応のプロトコルが使用される。これは例えばＩＥＴＦのＲＦＣ１７２９によるＰＯＰ（Post Office Protocol）またはＩＥＴＦのＲＦＣ２０６０によるＩＭＡＰ（Internet Message Access Protocol）、または製造者固有のプロトコルである。これらのプロトコルは、受信者とメールサーバとの間の通信交換を制御する。これは例えばメールサーバのメールクライアントに通知すること、メールクライアントを認証することなどである。通信をメールサーバからメールクライアントへ伝送するために、少なくとも１つのＳＭＴＰまたはＥＳＭＴＰが使用される。新たな通信がメールサーバに到達したことを記録するために、メールクライアントは散発的にまたは周期的にメールサーバを参照する。この過程はポーリングとも称される。メールクライアントがこのようにしてメールクライアントのユーザに対してメールサーバに通信が存在することを検知すると、メールクライアントはこのことをユーザに通知する。次にユーザは自分のメールサーバにファイルされた通信へのアクセスを開始することができる。アクセスの開始はプルモードとも称される。次にこの通信は、メールサーバからメールクライアントに伝送され、そこでユーザに対してさらに出力することができる。ここで前記の方法は実質的に常時固定接続に対して考えられたものであり、ここではメールクライアントはメールサーバに対して恒久的接続または比較的短時間だけ中断される接続を有する。ＳＭＴＰは元々、テキスト通信に対して意図されたものである。ＩＥＴＦのＲＦＣ１５２１によるＭＩＭＥ（Multipurpose Internet Mail Extensions）によりこのような通信は補遺によって拡張することができる。ここでこの補遺は任意の形式を有することができるが、テキスト通信に対して設定されたものではない。しかし伝送のためにこの補遺は再符号化され、同様に単純なテキスト通信の形式で伝送することができる。